(57)【要約】【課題】  盗難しようとする者がピンを手前に引いても不作動状態にならない盗難防止装置を提供する。【解決手段】  商品に取付ける本体３と、本体３を固定部材に固定する皮膜導電コード５とよりなり、本体３は、ケース６と、ケース６内に配されてなる動作スイッチ７よりなり、動作スイッチ７は、ケース６に出没自在に配され且つケース６より突出して不作動状態となると共にケース６を商品に取付けることで作動状態となるスイッチ片８と、ケース６に出没自在に配され且つケース６より突出して不作動状態となると共にケース６に押し込むことで作動状態となるピン９と、スイッチ片８、ピン９の双方が作動状態となると作動状態となる制御手段１０と、制御手段１０が作動状態となることで警告を発信する警告手段１１とよりなり、ピン９は、ケース６に没した状態から突出した状態に戻しても、制御手段１０が不作動状態に復帰しない。【選択図】        図３
2005063045.tif 000002
【特許請求の範囲】
【請求項１】
商品に取付け可能なる本体と、該本体を商品棚などの固定部材に固定可能なる皮膜導電コードとより構成されてなり、
前記本体は、中空状のケースと、該ケース内に配設されてなる動作スイッチとより構成されてなり、
該動作スイッチは、前記ケースに出没自在に配され且つケースより突出した状態で不作動状態（ＯＦＦ）となると共にケースを商品に取付けることで没した状態となって作動状態（ＯＮ）となるスイッチ片と、前記ケースに出没自在に配され且つケースより突出した状態で不作動状態（ＯＦＦ）となると共にケースに没した状態で作動状態（ＯＮ）となるピンと、前記スイッチ片及びピンの双方が作動状態（ＯＮ）となることでのみ作動状態（ＯＮ）となる制御手段と、該制御手段が作動状態（ＯＮ）となることでのみ警告を発信する警告手段とより構成されてなり、
前記ピンは、ケースに没した状態から突出した状態に戻しても、制御手段が不作動（ＯＦＦ）状態に復帰しないことを特徴とする盗難防止装置。
【請求項２】
請求項１に記載の盗難防止装置であって、
前記制御手段には、スライド式の操作スイッチ部が配設されてなり、
前記ピンをケースに没するように押圧することで、ケースの外側から前記操作スイッチ部を作動状態（ＯＮ）にのみ遠隔操作可能であることを特徴とする盗難防止装置。
【請求項３】
請求項２記載の盗難防止装置であって、
前記ケースには、特殊工具により、ケースの外側から前記操作スイッチ部を不作動状態（ＯＦＦ）に操作可能な貫通孔が形成されてなることを特徴とする盗難防止装置。
【請求項４】
請求項１乃至請求項３の何れか１項に記載の盗難防止装置であって、
前記ケースは、二分割されてなり、締結具により締結固持されてなることを特徴とする盗難防止装置。
【請求項５】
請求項１乃至請求項４の何れか１項に記載の盗難防止装置であって、
前記皮膜導電コードの途中には、カールコード部が形成されてなることを特徴とする盗難防止装置。
【請求項６】
請求項１乃至請求項５の何れか１項に記載の盗難防止装置であって、
前記皮膜導電コードの先端部には、商品棚等への固定が可能なるように、リング状に形成されてなることを特徴とする盗難防止装置。
【発明の詳細な説明】
【技術分野】
【０００１】
この発明は、商品に取付けられる盗難防止装置に関する。
【背景技術】
【０００２】
商品に取付けられる盗難防止装置としては、例えば、商品に取付けられる本体と、該本体を商品棚などの固定部材に固定するコードとより構成されてなり、動作スイッチのピンを押すと待機状態にセットされる。この状態で、商品から本体を取り外されると、動作スイッチが作動状態（ＯＮ）になり、本体に内蔵された警報機が鳴り、店員等商品を管理している人の意に反して商品が盗難状態になったことを商品管理者に知らしめるようになっている（例えば、特許文献１参照）。
【特許文献１】実用新案登録番号第３０４２３４６号公報
【発明の開示】
【発明が解決しようとする課題】
【０００３】
しかしながら、このような従来の盗難防止装置にあっては、盗難しようとする者が、特殊工具でピンを手前側に引けば、動作スイッチは不作動状態（ＯＦＦ）になり、商品から本体を外しても警報機は鳴らず、商品管理者に商品が盗難状態になったことを知らしめないことになり、商品が持ち出されるおそれがある。
【０００４】
この発明は、このような従来の技術に着目してなされたものであり、盗難しようとする者がピンを手前に引いても不作動状態（ＯＦＦ）にならない盗難防止装置を提供するものである。
【課題を解決するための手段】
【０００５】
請求項１に記載の発明は、商品に取付け可能なる本体と、該本体を商品棚などの固定部材に固定可能なる皮膜導電コードとより構成されてなり、前記本体は、中空状のケースと、該ケース内に配設されてなる動作スイッチとより構成されてなり、該動作スイッチは、前記ケースに出没自在に配され且つケースより突出した状態で不作動状態（ＯＦＦ）となると共にケースを商品に取付けることで没した状態となって作動状態（ＯＮ）となるスイッチ片と、前記ケースに出没自在に配され且つケースより突出した状態で不作動状態（ＯＦＦ）となると共にケースに没した状態で作動状態（ＯＮ）となるピンと、前記スイッチ片及びピンの双方が作動状態（ＯＮ）となることでのみ作動状態（ＯＮ）となる制御手段と、該制御手段が作動状態（ＯＮ）となることでのみ警告を発信する警告手段とより構成されてなり、前記ピンは、ケースに没した状態から突出した状態に戻しても、制御手段が不作動（ＯＦＦ）状態に復帰しないことを特徴とする。
【０００６】
請求項２に記載の発明は、請求項１に記載の盗難防止装置であって、前記制御手段には、スライド式の操作スイッチ部が配設されてなり、前記ピンをケースに没するように押圧することで、ケースの外側から前記操作スイッチ部を作動状態（ＯＮ）にのみ遠隔操作可能であることを特徴とする。
【０００７】
請求項３に記載の発明は、請求項２記載の盗難防止装置であって、前記ケースには、特殊工具により、ケースの外側から前記操作スイッチ部を不作動状態（ＯＦＦ）に操作可能な貫通孔が形成されてなることを特徴とする。
【０００８】
請求項４に記載の発明は、請求項１乃至請求項３の何れか１項に記載の盗難防止装置であって、前記ケースは、二分割されてなり、締結具により締結固持されてなることを特徴とする。
【０００９】
請求項５に記載の発明は、請求項１乃至請求項４の何れか１項に記載の盗難防止装置であって、前記皮膜導電コードの途中には、カールコード部が形成されてなることを特徴とする。
【００１０】
請求項６に記載の発明は、請求項１乃至請求項５の何れか１項に記載の盗難防止装置であって、前記皮膜導電コードの先端部には、商品棚等への固定が可能なるように、リング状に形成されてなることを特徴とする。
【発明の効果】
【００１１】
請求項１に記載の発明によれば、窃盗者などがケースに没した状態のピンをこじり出すなどしてケースから突出した状態に戻しても、制御手段が不作動（ＯＦＦ）状態に復帰しないので、商品を販売する側の意に反しての制御手段の不作動（ＯＦＦ）状態復帰はならず、商品の盗難防止性能が著しく向上することになる。
【００１２】
請求項２に記載の発明によれば、ケース内の制御手段には、スライド式の操作スイッチ部が配設されてなり、前記ピンをケースに没するように押圧することで、ケースの外側から前記操作スイッチ部を作動状態（ＯＮ）にのみ遠隔操作可能であるので、換言すると、ピンを引いても操作スイッチ部は操作されず、作動状態（ＯＮ）が保持され且つ不作動（ＯＦＦ）状態にならない。つまり、商品の盗難防止性能が著しく向上することになる。
【００１３】
請求項３に記載の発明によれば、ケースには、特殊工具により、ケースの外側から前記操作スイッチ部を不作動状態（ＯＦＦ）に操作可能な貫通孔が形成されてなるので、特殊工具がなければ、ケースの外側から前記操作スイッチ部を不作動状態（ＯＦＦ）に復帰操作することができない。つまり、商品を販売する側の意に反しての制御手段の不作動（ＯＦＦ）状態復帰はならず、商品の盗難防止性能が著しく向上することになるばかりか、商品を販売する側の意で、商品から本体を外す場合の制御手段の不作動（ＯＦＦ）状態への操作が容易となり、商品を販売する側の意に従い、容易に操作可能となる。
【００１４】
請求項４に記載の発明によれば、前記ケースは、二分割されてなり、締結具により締結固持されてなるので、ケースによって動作スイッチを覆われた状態では、短時間での締結具解除は事実上不可能であり、盗難防止性能が著しく向上する。また、動作スイッチの故障や電池切れによる交換などの場合は、一般的な締結具でケースを分割できるので、メンテナンスが容易となる。
【００１５】
請求項５に記載の発明によれば、前記皮膜導電コードの途中には、カールコード部が形成されてなるので、皮膜導電コード全体が伸縮自在であり、不用意な断線の生じ得る可能性が少なくなる。
【００１６】
請求項６に記載の発明によれば、皮膜導電コードの先端部には、商品棚等への固定が可能なるように、リング状に形成されてなるので、商品棚等に他の固定具なしで固定できるので、製造原価が低減できるし、取付が簡易である。
【発明を実施するための最良の形態】
【００１７】
盗難しようとする者がピンを手前に引いても不作動状態（ＯＦＦ）にならない盗難防止装置を提供するという目的を、商品に取付け可能なる本体と、該本体を商品棚などの固定部材に固定可能なる皮膜導電コードとより構成されてなり、前記本体は、中空状のケースと、該ケース内に配設されてなる動作スイッチとより構成されてなり、該動作スイッチは、前記ケースに出没自在に配され且つケースより突出した状態で不作動状態（ＯＦＦ）となると共にケースを商品に取付けることで没した状態となって作動状態（ＯＮ）となるスイッチ片と、前記ケースに出没自在に配され且つケースより突出した状態で不作動状態（ＯＦＦ）となると共にケースに没した状態で作動状態（ＯＮ）となるピンと、前記スイッチ片及びピンの双方が作動状態（ＯＮ）となることでのみ作動状態（ＯＮ）となる制御手段と、該制御手段が作動状態（ＯＮ）となることでのみ警告を発信する警告手段とより構成されてなり、前記ピンは、ケースに没した状態から突出した状態に戻しても、制御手段が不作動（ＯＦＦ）状態に復帰しないことにより実現した。
【実施例】
【００１８】
図１〜図４は、この発明の一実施形態を示す図である。符号１は、盗難防止装置であって、該盗難防止装置１は、カメラなどの商品２に取付け可能なる本体３と、該本体３を一般的な商品棚などの固定部材４に固定可能なる皮膜導電コード５とより構成されてなる。
【００１９】
前記本体３は、中空状のケース６と、該ケース６内に配設されてなる動作スイッチ７とより構成されてなる。
【００２０】
該動作スイッチ７は、スイッチ片８と、ピン９と、制御手段１０と、警告手段１１と、スイッチ本体１３とより構成されてなる。動作スイッチ７は、スイッチ片８及びピン９双方がケース６内に押し込まれた時に作動状態（ＯＮ）となる。動作スイッチ７が作動状態（ＯＮ）となることで、ループ切断、短絡検出回路、盗難検出回路、アラーム出力回路等が動作可能となる。
【００２１】
前記スイッチ片８は、前記ケース６の第１ケース６ａの底面６ｃに出没自在に配され且つケース６の第１ケース６ａの底面６ｃより突出した状態で不作動状態（ＯＦＦ）となると共にケース６の底面６ｃを商品２に取付けることで底面６ｃより没した状態となって作動状態（ＯＮ）となる。
【００２２】
前記ピン９は、前記ケース６の上面６ｄに形成されてなる貫通孔６ｅに出没自在に配されていて、前記スイッチ本体１３は、ピン９がケース６の上面６ｄより実線で示す突出した状態で不作動状態（ＯＦＦ）となり、ケース６の上面６ｄに没した二点鎖線で示す状態で作動状態（ＯＮ）となる。
【００２３】
前記制御手段１０、警告手段１１そしてスイッチ本体１３は、リチウム電池等の小型電池が使用され、前記スイッチ片８及びピン９の双方が作動状態（ＯＮ）となることでのみ作動状態（ＯＮ）となり、制御手段１０及びスイッチ本体１３により警告手段１１が底面６ｃに形成された３個の貫通孔１６を通して警告を発するように形成されてなる。警告手段１１は、前記制御手段１０が作動状態（ＯＮ）となることでのみ警告音を発する。
【００２４】
前記スイッチ本体１３には、スライド式の操作スイッチ部１２が配設されてなり、前記ピン９をケース６の上面６ｄに没するように押圧する(図４の下側に下降させる)ことで、ケース６の外側から前記操作スイッチ部１２を作動状態（ＯＮ）にのみ遠隔操作可能である。前記ピン９は、ケース６の上面６ｄに没した二点鎖線で示す状態から実線で示す突出した状態に戻しても、ピン９の押圧部９ａが操作スイッチ部１２より離れるだけなので、制御手段１０が不作動（ＯＦＦ）状態に復帰しない。
【００２５】
前記ケース６の底面６ｃには、図示しない特殊工具により、ケース６の外側から前記操作スイッチ部１２を不作動状態（ＯＦＦ）に操作可能な小さな貫通孔１４が形成されてなる。
【００２６】
前記ケース６は、第１ケース６ａと第２ケース６ｂとより合成樹脂により二分割形成されてなり、底面６ｃには「締結具」であるビス１５により締結固持されてなる。該底面６ｃには、シート状の両面テープ１６が貼付され、該両面テープ１６には、剥がし易い非接着性のテープ１７が覆っている。前記両面テープ１６及びテープ１７には、スイッチ片８用の貫通孔１６ａ，１７ａがそれぞれ形成されている。
【００２７】
前記皮膜導電コード５は、所定の長さを有し、合成樹脂等の絶縁体により被覆されていて、皮膜導電コード５の先端部５ａには、補強部５ｂから先が商品棚等への固定が可能なるように、リング状に形成されてなる。このリング状の先端部５ａが、商品棚の留め金や枠などの固定部材４に固定される。先端部５ａの途中には、カールコード部５ｃが形成され、皮膜導電コード５全体が伸縮自在となっている。
【００２８】
次に、このように構成されてなる盗難防止装置１の作用について、説明する。
【００２９】
図１は、本実施例の盗難防止装置１の使用状態の一例を示す図である。まず、皮膜導電コード５の先端部５ａを商品棚等の固定部材４に通して固定する。次いで、図２に示すテープ１７を剥がして、商品２に貼り付ける。こうして、盗難防止装置１の取付が完了した後に、ピン９を押して、ケース６内に埋没させる。こうして、盗難防止機能が開始できる状態になる。窃盗者などがケース６に没した状態のピン９を何らかの工具を用いてこじり出すなどしてケース６から突出した状態に戻しても、ピン９の押圧部９ａが操作スイッチ部１２より離れるだけなので、制御手段１０が不作動（ＯＦＦ）状態に復帰せず、商品２を販売する側の意に反しての制御手段１０の不作動（ＯＦＦ）状態復帰はならない。つまり、商品２の盗難防止性能が著しく向上することになる。盗難防止装置１の動作中、商品２から本体３を取り外されると、スイッチ片８への付勢力が解かれるので、スイッチ片８が初期状態に戻る。これにより、商品２から本体３が外されたことが検知され、本体３に内蔵された警告手段１１が鳴り、店員等に盗難状態になったことを知らせることになる。
【００３０】
ケース６内の制御手段１０には、スライド式の操作スイッチ部１２が配設されてなり、前記ピン９をケース６に没するように押圧することで、ケース６の外側から前記操作スイッチ部１２を作動状態（ＯＮ）にのみ遠隔操作可能であるので、換言すると、ピン９を引いても、ピン９の押圧部９ａが操作スイッチ部１２から離れるので、操作スイッチ部１２は操作されず、作動状態（ＯＮ）が保持され且つ不作動（ＯＦＦ）状態にならない。つまり、商品２の盗難防止性能が著しく向上することになる。
【００３１】
ケース６には、図示しない特殊工具により、ケース６の外側から前記操作スイッチ部１２を不作動状態（ＯＦＦ）に操作可能な貫通孔１４が形成されてなるので、特殊工具がなければ、ケース６の外側から前記操作スイッチ部１２を不作動状態（ＯＦＦ）に復帰操作することができない。つまり、商品２を販売する側の意に反しての制御手段１０の不作動（ＯＦＦ）状態復帰はならず、商品２の盗難防止性能が著しく向上することになるばかりか、商品２を販売する側の意で、商品２から本体３を外す場合の制御手段１０の不作動（ＯＦＦ）状態への操作が容易となり、商品２を販売する側の意に従い、容易に操作可能となる。
【００３２】
前記ケース６は、二分割されてなり、締結具１５により締結固持されてなるので、ケース６によって動作スイッチ７を覆われた状態では、短時間での締結具解除は事実上不可能であり、盗難防止性能が著しく向上する。また、動作スイッチ７の故障や電池切れによる交換などの場合は、一般的な締結具１５でケース６を分割できるので、メンテナンスが容易となる。
【００３３】
前記皮膜導電コード５の途中には、カールコード部５ｃが形成されてなるので、皮膜導電コード５全体が伸縮自在であり、不用意な断線の生じ得る可能性が少なくなる。
【００３４】
皮膜導電コード５の先端部５ａには、商品棚等の固定部材４への固定が可能なるように、リング状に形成されてなるので、商品棚等の固定部材４に他の固定具なしで固定できるので、製造原価が低減できるし、取付が簡易である。
【産業上の利用可能性】
【００３５】
警告手段１１として、ブザーが鳴るタイプとして説明したが、これに限定されるものではなく、警告点灯するものでも良いし、ブザーでなく、何らかの意思表示、例えば「注意！」とか「外されました。」とかの言葉や、「万引き！」と絶叫するなどのスピーカ効果を発するものでも良い。また、店内の集中管理室のコンピュータや盗難防止保安員らに盗難状態を知らしめる発信を行うものでも良い。
【図面の簡単な説明】
【００３６】
【図１】この発明の一実施例の盗難防止装置を商品に固定した状態を示す斜視図。
【図２】図１の盗難防止装置の一部分解斜視図。
【図３】図２の盗難防止装置のケース及び動作スイッチを示す正面図。
【図４】図３の制御手段とピンとの関係を示す説明図。
【符号の説明】
【００３７】
１  盗難防止装置
２  カメラなどの商品
３  盗難防止装置の本体
４  商品棚などの固定部材
５  盗難防止装置の皮膜導電コード
５ａ  皮膜導電コードの先端部
５ｃ  カールコード部
６  ケース
６ａ  第１ケース
６ｂ  第２ケース
６ｃ  底面
６ｄ  上面
６ｅ  貫通孔
７  動作スイッチ
８  スイッチ片
９  ピン
９ａ  ピンの押圧部
１０  制御手段
１１  警告手段
１２  操作スイッチ部
１３  スイッチ本体
１５  「締結具」であるビス
１６  両面テープ
１７  テープ
【図１】
2005063045.tif 000003
【図２】
2005063045.tif 000004
【図３】
2005063045.tif 000005
【図４】
2005063045.tif 000006